(57)【要約】【課題】すれ違うユーザの端末間で通信を行い、コーディネイト情報を交換する。【解決手段】複数の端末のうち、任意の第１の端末が、所定のアプリケーションを起動して、今日のコーディネイト情報を含むコーディネイト情報と個人情報とを入力しと、入力した今日のコーディネイト情報を含むコーディネイト情報に対して、それぞれ公開の有無を設定する。また、複数の端末のうち、任意の第２の端末からの受信条件を設定し、第２の端末との間で近距離無線通信により通信を行い、通信手段を用いて、第２の端末とコーディネイト情報を交換する。そして、交換したコーディネイト情報を格納する。【選択図】図３
2013191006.tif 000002
【特許請求の範囲】
【請求項１】
複数のユーザが所有する複数の端末間においてコーディネイト情報を通信により交換するコーディネイト情報通信システムであって、
前記複数の端末のうち、任意の第１の端末が、
所定のアプリケーションを起動して、今日のコーディネイト情報を含むコーディネイト情報と個人情報とを入力する入力手段と、
該入力した今日のコーディネイト情報を含むコーディネイト情報に対して、それぞれ公開の有無を設定する公開設定手段と、
前記複数の端末のうち、任意の第２の端末からの受信条件を設定する受信条件設定手段と、
該第２の端末との間で近距離無線通信により通信を行う通信手段と、
該通信手段を用いて、前記第２の端末とコーディネイト情報を交換する情報交換手段と、
該交換したコーディネイト情報を格納する格納手段と、
を備えたことを特徴とするコーディネイト情報通信システム。
【請求項２】
前記任意の第１の端末が、
過去の衣服の購入履歴を格納する格納手段を備え、
該格納されている購入履歴情報に基づいて、コーディネイト情報を入力することを特徴とする請求項１に記載のコーディネイト情報通信システム。
【請求項３】
前記個人情報として、少なくとも、性別、年代、好みのブランド、好みのファッションスタイル、好みの色に関する情報を入力することを特徴とする請求項１に記載のコーディネイト情報通信システム。
【請求項４】
前記受信条件として、「すべて受信する」、「すべて受信しない」、「一部受信する」のいずれかを設定することを特徴とする請求項１に記載のコーディネイト情報通信システム。
【請求項５】
前記個人情報の類似度が所定の範囲内の場合に、受信条件として「一部受信する」を設定することを特徴とする請求項４に記載のコーディネイト情報通信システム。
【請求項６】
前記個人情報のうち、ユーザが予め指定する項目が一致する場合に、「一部受信する」を設定することを特徴とする請求項４に記載のコーディネイト情報通信システム。
【請求項７】
前記近距離無線通信が、Ｗｉ−Ｆｉアドホック通信方式あるいは、ＧＰＳを利用し同じ時間に同じ場所に存在すると判定される場合に３Ｇ通信を行う方式であることを特徴とする請求項１に記載のコーディネイト情報通信システム。
【請求項８】
前記複数の端末が携帯端末であることを特徴とする請求項１から請求項７に記載のコーディネイト情報通信システム。
【請求項９】
複数のユーザが所有する複数の端末間においてコーディネイト情報を通信により交換するコーディネイト情報通信システムにおけるコーディネイト情報の通信方法であって、
前記複数の端末のうち、任意の第１の端末が、所定のアプリケーションを起動して、今日のコーディネイト情報を含むコーディネイト情報と個人情報とを入力する入力ステップと、
公開設定手段が、該入力した今日のコーディネイト情報を含むコーディネイト情報に対して、それぞれ公開の有無を設定する公開設定ステップと、
受信条件設定手段が、前記複数の端末のうち、任意の第２の端末からの受信条件を設定する受信条件設定ステップと、
通信手段が、該第２の端末との間で近距離無線通信により通信を行う通信実行ステップと、
情報交換手段が、該通信手段を用いて、前記第２の端末とコーディネイト情報を交換する情報交換ステップと、
交換したコーディネイト情報を格納する格納ステップと、
を備えたことを特徴とするコーディネイト情報の通信方法。
【請求項１０】
前記情報交換ステップにおいて、
前記第１の端末が、登録されている前記個人情報を前記第２の端末に送信する第１のステップと、
前記第２の端末が、受信条件に基づいて、前記第１の端末にコーディネイト情報のリクエストを送信する第２のステップと、
前記第１の端末が、コーディネイト情報のリクエストを受信し、「公開する」と設定されているコーディネイトの情報を前記第２の端末へ送信する第３のステップと、
前記第２の端末が、コーディネイト情報を端末に保存する第４のステップと、
前記第２の端末が、登録されている前記個人情報を前記第１の端末に送信する第５のステップと、
前記第１の端末が、受信条件に基づいて、前記第２の端末にコーディネイト情報のリクエストを送信する第６のステップと、
前記第２の端末が、コーディネイト情報のリクエストを受信し、「公開する」と設定されているコーディネイトの情報を前記第１の端末へ送信する第７のステップと、
前記第１の端末が、コーディネイト情報を端末に保存する第８のステップと、
を備えたことを特徴とする請求項９に記載のコーディネイト情報の通信方法。
【請求項１１】
複数のユーザが所有する複数の端末間においてコーディネイト情報を通信により交換するコーディネイト情報通信システムにおけるコーディネイト情報の通信方法をコンピュータに実行させるためのプログラムであって、
前記複数の端末のうち、任意の第１の端末が、所定のアプリケーションを起動して、今日のコーディネイト情報を含むコーディネイト情報と個人情報とを入力する入力ステップと、
公開設定手段が、該入力した今日のコーディネイト情報を含むコーディネイト情報に対して、それぞれ公開の有無を設定する公開設定ステップと、
受信条件設定手段が、前記複数の端末のうち、任意の第２の端末からの受信条件を設定する受信条件設定ステップと、
通信手段が、該第２の端末との間で近距離無線通信により通信を行う通信実行ステップと、
情報交換手段が、該通信手段を用いて、前記第２の端末とコーディネイト情報を交換する情報交換ステップと、
交換したコーディネイト情報を格納する格納ステップと、
をコンピュータに実行させるためのプログラム。
【請求項１２】
前記情報交換ステップにおいて、
前記第１の端末が、登録されている前記個人情報を前記第２の端末に送信する第１のステップと、
前記第２の端末が、受信条件に基づいて、前記第１の端末にコーディネイト情報のリクエストを送信する第２のステップと、
前記第１の端末が、コーディネイト情報のリクエストを受信し、「公開する」と設定されているコーディネイトの情報を前記第２の端末へ送信する第３のステップと、
前記第２の端末が、コーディネイト情報を端末に保存する第４のステップと、
前記第２の端末が、登録されている前記個人情報を前記第１の端末に送信する第５のステップと、
前記第１の端末が、受信条件に基づいて、前記第２の端末にコーディネイト情報のリクエストを送信する第６のステップと、
前記第２の端末が、コーディネイト情報のリクエストを受信し、「公開する」と設定されているコーディネイトの情報を前記第１の端末へ送信する第７のステップと、
前記第１の端末が、コーディネイト情報を端末に保存する第８のステップと、
を備えたことを特徴とする請求項１１に記載のプログラム。
【発明の詳細な説明】
【技術分野】
【０００１】
本発明は、すれ違うユーザの端末間で通信を行い、コーディネイト情報を交換するコーディネイト情報通信システム、コーディネイト情報の通信方法およびプログラムに関する。
【背景技術】
【０００２】
例えば、ファッションにおいて、街中で歩いている人のコーディネイトが気に入り、ブランドや販売元を調べたくなったり、また、センスの良い服装をしている人の他のコーディネイトを見てみたいという欲求がでてくることがある。
【０００３】
上記の場合の解決方法として、例えば、アドホック通信において、不特定端末と通信を行い、情報を共有し、共通の人物を特定するような技術が提案されている（例えば、特許文献１参照。）。
【先行技術文献】
【特許文献】
【０００４】
【特許文献１】特開２００７−３０６４６０号公報
【発明の概要】
【発明が解決しようとする課題】
【０００５】
確かに、上記のような状況において、すれ違う他人に声をかけファッションについて情報を得ることは、まったく知らない人に声をかけることになるため、困難である。その一方で、特許文献１に開示された技術では、不特定の端末と通信を行うため、通信したくない端末と不要な情報交換が行われる問題点がある。
【０００６】
そこで、本発明は、上述の課題に鑑みてなされたものであり、すれ違うユーザの端末間で通信を行い、コーディネイト情報を交換するコーディネイト情報通信システム、コーディネイト情報の通信方法およびプログラムを提供することを目的とする。
【課題を解決するための手段】
【０００７】
本発明は、上記の課題を解決するために、以下の事項を提案している。なお、理解を容易にするために、本発明の実施形態に対応する符号を付して説明するが、これに限定されるものではない。
【０００８】
（１）本発明は、複数のユーザが所有する複数の端末間においてコーディネイト情報を通信により交換するコーディネイト情報通信システムであって、前記複数の端末のうち、任意の第１の端末（例えば、図１の端末１００に相当）が、所定のアプリケーションを起動して、今日のコーディネイト情報を含むコーディネイト情報と個人情報とを入力する入力手段（例えば、図２の入力部１１０に相当）と、該入力した今日のコーディネイト情報を含むコーディネイト情報に対して、それぞれ公開の有無を設定する公開設定手段（例えば、図２の公開設定部１２０に相当）と、前記複数の端末のうち、任意の第２の端末からの受信条件を設定する受信条件設定手段（例えば、図２の受信条件設定部１３０に相当）と、該第２の端末（例えば、図１の端末２００に相当）との間で近距離無線通信により通信を行う通信手段（例えば、図２の通信部１５０に相当）と、該通信手段を用いて、前記第２の端末とコーディネイト情報を交換する情報交換手段（例えば、図２の情報交換部１６０に相当）と、該交換したコーディネイト情報を格納する格納手段（例えば、図２の格納部１７０に相当）と、を備えたことを特徴とするコーディネイト情報通信システムを提案している。
【０００９】
この発明によれば、入力手段は、所定のアプリケーションを起動して、今日のコーディネイト情報を含むコーディネイト情報と個人情報とを入力する。公開設定手段は、該入力した今日のコーディネイト情報を含むコーディネイト情報に対して、それぞれ公開の有無を設定する。受信条件設定手段は、複数の端末のうち、任意の第２の端末からの受信条件を設定する。通信手段は、第２の端末との間で近距離無線通信により通信を行う。情報交換手段は、通信手段を用いて、第２の端末とコーディネイト情報を交換する。そして、格納手段が、交換したコーディネイト情報を格納する。したがって、近距離ですれ違うユーザの端末間で通信を行い、コーディネイト情報を容易に交換することができる。また、受信条件を設定できるため、不要な情報の取得を防止することができる。
【００１０】
（２）本発明は、（１）のコーディネイト情報通信システムについて、前記任意の第１の端末が、過去の衣服の購入履歴を格納する格納手段を備え、該格納されている購入履歴情報に基づいて、コーディネイト情報を入力することを特徴とするコーディネイト情報通信システムを提案している。
【００１１】
この発明によれば、第１の端末が、格納されている購入履歴情報に基づいて、コーディネイト情報を入力する。したがって、ユーザの手間を省きつつ、正確な情報を入力することができる。
【００１２】
（３）本発明は、（１）のコーディネイト情報通信システムについて、前記個人情報として、少なくとも、性別、年代、好みのブランド、好みのファッションスタイル、好みの色に関する情報を入力することを特徴とするコーディネイト情報通信システムを提案している。
【００１３】
この発明によれば、個人情報として、少なくとも、性別、年代、好みのブランド、好みのファッションスタイル、好みの色に関する情報を入力する。したがって、自分の趣味やプロフィールに合致したユーザからのみ情報の提供を受けることが可能となる。
【００１４】
（４）本発明は、（１）のコーディネイト情報通信システムについて、前記受信条件として、「すべて受信する」、「すべて受信しない」、「一部受信する」のいずれかを設定することを特徴とするコーディネイト情報通信システムを提案している。
【００１５】
この発明によれば、受信条件として、「すべて受信する」、「すべて受信しない」、「一部受信する」のいずれかを設定する。つまり、「一部受信する」との項目を設けたことから、例えば、自分の趣味やプロフィールに一部合致したユーザから必要な情報のみの提供を受けることが可能となる。
【００１６】
（５）本発明は、（４）のコーディネイト情報通信システムについて、前記個人情報の類似度が所定の範囲内の場合に、受信条件として「一部受信する」を設定することを特徴とするコーディネイト情報通信システムを提案している。
【００１７】
この発明によれば、個人情報の類似度が所定の範囲内の場合に、受信条件として「一部受信する」を設定する。したがって、個人情報の類似度が所定の範囲内のユーザから、必要な情報のみを得ることができ、不要な情報の受信を防止することができる。
【００１８】
（６）本発明は、（４）のコーディネイト情報通信システムについて、前記個人情報のうち、ユーザが予め指定する項目が一致する場合に、「一部受信する」を設定することを特徴とするコーディネイト情報通信システムを提案している。
【００１９】
この発明によれば、個人情報のうち、ユーザが予め指定する項目が一致する場合に、「一部受信する」を設定する。したがって、個人情報について、ユーザが予め指定する項目が一致するユーザから、必要な情報のみを得ることができ、不要な情報の受信を防止することができる。
【００２０】
（７）本発明は、（１）のコーディネイト情報通信システムについて、前記近距離無線通信が、Ｗｉ−Ｆｉアドホック通信方式あるいは、ＧＰＳを利用し同じ時間に同じ場所に存在すると判定される場合に３Ｇ通信を行う方式であることを特徴とするコーディネイト情報通信システムを提案している。
【００２１】
この発明によれば、近距離無線通信が、Ｗｉ−Ｆｉアドホック通信方式あるいは、ＧＰＳを利用し同じ時間に同じ場所に存在すると判定される場合に３Ｇ通信を行う方式である。したがって、所定の通信エリア内のユーザとコーディネイト情報を交換することができる。
【００２２】
（８）本発明は、（１）から（７）のコーディネイト情報通信システムについて、前記複数の端末が携帯端末であることを特徴とするコーディネイト情報通信システムを提案している。
【００２３】
この発明によれば、複数の端末が携帯端末である。したがって、専用のアプリケーションをダウンロードしていれば、特別な意識をすることなく、他のユーザのコーディネイト情報を容易に取得することができる。
【００２４】
（９）本発明は、複数のユーザが所有する複数の端末間においてコーディネイト情報を通信により交換するコーディネイト情報通信システムにおけるコーディネイト情報の通信方法であって、前記複数の端末のうち、任意の第１の端末が、所定のアプリケーションを起動して、今日のコーディネイト情報を含むコーディネイト情報と個人情報とを入力する入力ステップ（例えば、図３のステップＳ１０１に相当）と、公開設定手段が、該入力した今日のコーディネイト情報を含むコーディネイト情報に対して、それぞれ公開の有無を設定する公開設定ステップ（例えば、図３のステップＳ１０２に相当）と、受信条件設定手段が、前記複数の端末のうち、任意の第２の端末からの受信条件を設定する受信条件設定ステップ（例えば、図３のステップＳ１０３に相当）と、通信手段が、該第２の端末との間で近距離無線通信により通信を行う通信実行ステップ（例えば、図３のステップＳ１０４に相当）と、情報交換手段が、該通信手段を用いて、前記第２の端末とコーディネイト情報を交換する情報交換ステップ（例えば、図３のステップＳ１０５に相当）と、格納手段が、交換したコーディネイト情報を格納する格納ステップ（例えば、図３のステップＳ１０６に相当）と、を備えたことを特徴とするコーディネイト情報の通信方法を提案している。
【００２５】
この発明によれば、複数の端末のうち、任意の第１の端末が、所定のアプリケーションを起動して、今日のコーディネイト情報を含むコーディネイト情報と個人情報とを入力しと、入力した今日のコーディネイト情報を含むコーディネイト情報に対して、それぞれ公開の有無を設定する。また、複数の端末のうち、任意の第２の端末からの受信条件を設定し、第２の端末との間で近距離無線通信により通信を行い、通信手段を用いて、第２の端末とコーディネイト情報を交換する。そして、交換したコーディネイト情報を格納する。したがって、近距離ですれ違うユーザの端末間で通信を行い、コーディネイト情報を容易に交換することができる。また、受信条件を設定できるため、不要な情報の取得を防止することができる。
【００２６】
（１０）本発明は、（９）のコーディネイト情報の通信方法について、前記情報交換ステップにおいて、前記第１の端末が、登録されている前記個人情報を前記第２の端末に送信する第１のステップ（例えば、図４のステップＳ２０１に相当）と、前記第２の端末が、受信条件に基づいて、前記第１の端末にコーディネイト情報のリクエストを送信する第２のステップ（例えば、図４のステップＳ２０６に相当）と、前記第１の端末が、コーディネイト情報のリクエストを受信し、「公開する」と設定されているコーディネイトの情報を前記第２の端末へ送信する第３のステップ（例えば、図４のステップＳ２０７に相当）と、前記第２の端末が、コーディネイト情報を端末に保存する第４のステップ（例えば、図４のステップＳ２０９に相当）と、前記第２の端末が、登録されている前記個人情報を前記第１の端末に送信する第５のステップ（例えば、図４のステップＳ２０１に相当）と、前記第１の端末が、受信条件に基づいて、前記第２の端末にコーディネイト情報のリクエストを送信する第６のステップ（例えば、図４のステップＳ２０６に相当）と、前記第２の端末が、コーディネイト情報のリクエストを受信し、「公開する」と設定されているコーディネイトの情報を前記第１の端末へ送信する第７のステップ（例えば、図４のステップＳ２０７に相当）と、前記第１の端末が、コーディネイト情報を端末に保存する第８のステップ（例えば、図４のステップＳ２０８に相当）と、を備えたことを特徴とするコーディネイト情報の通信方法を提案している。
【００２７】
この発明によれば、情報交換ステップにおいて、第１の端末が、登録されている個人情報を第２の端末に送信し、第２の端末が、受信条件に基づいて、第１の端末にコーディネイト情報のリクエストを送信する。第１の端末は、コーディネイト情報のリクエストを受信し、「公開する」と設定されているコーディネイトの情報を第２の端末へ送信し、第２の端末が、コーディネイト情報を端末に保存する。また、第２の端末が、登録されている個人情報を第１の端末に送信し、第１の端末が、受信条件に基づいて、第２の端末にコーディネイト情報のリクエストを送信する。第２の端末は、コーディネイト情報のリクエストを受信し、「公開する」と設定されているコーディネイトの情報を第１の端末へ送信し、第１の端末が、コーディネイト情報を端末に保存する。したがって、各ユーザは、容易に、相手方が公開を許可しているコーディネイト情報を受信し、保存することができる。
【００２８】
（１１）本発明は、複数のユーザが所有する複数の端末間においてコーディネイト情報を通信により交換するコーディネイト情報通信システムにおけるコーディネイト情報の通信方法をコンピュータに実行させるためのプログラムであって、前記複数の端末のうち、任意の第１の端末が、所定のアプリケーションを起動して、今日のコーディネイト情報を含むコーディネイト情報と個人情報とを入力する入力ステップ（例えば、図３のステップＳ１０１に相当）と、公開設定手段が、該入力した今日のコーディネイト情報を含むコーディネイト情報に対して、それぞれ公開の有無を設定する公開設定ステップ（例えば、図３のステップＳ１０２に相当）と、受信条件設定手段が、前記複数の端末のうち、任意の第２の端末からの受信条件を設定する受信条件設定ステップ（例えば、図３のステップＳ１０３に相当）と、通信手段が、該第２の端末との間で近距離無線通信により通信を行う通信実行ステップ（例えば、図３のステップＳ１０４に相当）と、情報交換手段が、該通信手段を用いて、前記第２の端末とコーディネイト情報を交換する情報交換ステップ（例えば、図３のステップＳ１０５に相当）と、格納手段が、交換したコーディネイト情報を格納する格納ステップ（例えば、図３のステップＳ１０６に相当）と、をコンピュータに実行させるためのプログラムを提案している。
【００２９】
この発明によれば、複数の端末のうち、任意の第１の端末が、所定のアプリケーションを起動して、今日のコーディネイト情報を含むコーディネイト情報と個人情報とを入力しと、入力した今日のコーディネイト情報を含むコーディネイト情報に対して、それぞれ公開の有無を設定する。また、複数の端末のうち、任意の第２の端末からの受信条件を設定し、第２の端末との間で近距離無線通信により通信を行い、通信手段を用いて、第２の端末とコーディネイト情報を交換する。そして、交換したコーディネイト情報を格納する。したがって、近距離ですれ違うユーザの端末間で通信を行い、コーディネイト情報を容易に交換することができる。また、受信条件を設定できるため、不要な情報の取得を防止することができる。
【００３０】
（１２）本発明は、（１１）のプログラムについて、前記情報交換ステップにおいて、前記第１の端末が、登録されている前記個人情報を前記第２の端末に送信する第１のステップ（例えば、図４のステップＳ２０１に相当）と、前記第２の端末が、受信条件に基づいて、前記第１の端末にコーディネイト情報のリクエストを送信する第２のステップ（例えば、図４のステップＳ２０６に相当）と、前記第１の端末が、コーディネイト情報のリクエストを受信し、「公開する」と設定されているコーディネイトの情報を前記第２の端末へ送信する第３のステップ（例えば、図４のステップＳ２０７に相当）と、前記第２の端末が、コーディネイト情報を端末に保存する第４のステップ（例えば、図４のステップＳ２０９に相当）と、前記第２の端末が、登録されている前記個人情報を前記第１の端末に送信する第５のステップ（例えば、図４のステップＳ２０１に相当）と、前記第１の端末が、受信条件に基づいて、前記第２の端末にコーディネイト情報のリクエストを送信する第６のステップ（例えば、図４のステップＳ２０６に相当）と、前記第２の端末が、コーディネイト情報のリクエストを受信し、「公開する」と設定されているコーディネイトの情報を前記第１の端末へ送信する第７のステップ（例えば、図４のステップＳ２０７に相当）と、前記第１の端末が、コーディネイト情報を端末に保存する第８のステップ（例えば、図４のステップＳ２０８に相当）と、を備えたことを特徴とするプログラムを提案している。
【００３１】
この発明によれば、情報交換ステップにおいて、第１の端末が、登録されている個人情報を第２の端末に送信し、第２の端末が、受信条件に基づいて、第１の端末にコーディネイト情報のリクエストを送信する。第１の端末は、コーディネイト情報のリクエストを受信し、「公開する」と設定されているコーディネイトの情報を第２の端末へ送信し、第２の端末が、コーディネイト情報を端末に保存する。また、第２の端末が、登録されている個人情報を第１の端末に送信し、第１の端末が、受信条件に基づいて、第２の端末にコーディネイト情報のリクエストを送信する。第２の端末は、コーディネイト情報のリクエストを受信し、「公開する」と設定されているコーディネイトの情報を第１の端末へ送信し、第１の端末が、コーディネイト情報を端末に保存する。したがって、各ユーザは、容易に、相手方が公開を許可しているコーディネイト情報を受信し、保存することができる。
【発明の効果】
【００３２】
本発明によれば、近距離ですれ違うユーザの端末間で通信を行い、コーディネイト情報を容易に交換することができるという効果がある。また、受信条件を設定できるため、不要な情報の取得を防止することができるという効果がある。
【図面の簡単な説明】
【００３３】
【図１】本発明の実施形態に係るコーディネイト情報通信システムの構成を示す図である。
【図２】本発明の実施形態に係る端末の構成を示す図である。
【図３】本発明の実施形態に係るコーディネイト情報通信システムの処理を示す図である。
【図４】本発明の実施形態に係る情報交換の処理フローである。
【図５】本発明の実施形態に係る情報交換の処理フローである。
【図６】本発明の実施形態に係る情報交換の処理フローである。
【発明を実施するための形態】
【００３４】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００３５】
＜コーディネイト情報通信システムの構成＞
図１を用いて、本実施形態に係るコーディネイト情報通信システムの構成について説明する。
【００３６】
本実施形態に係るコーディネイト情報通信システムは、図１に示すように、ユーザが所有する複数の端末１００から３００で構成されている。以下では、説明をわかりやすくするために、端末１００と端末２００とを用いて、その内容を説明する。
【００３７】
＜ユーザ端末の構成＞
図２を用いて、本実施形態に係るユーザ端末の構成について説明する。なお、上記複数の端末は、いずれも同様の構成を有している。そのため、ここでは、ユーザ端末１００の構成を代表として説明する。
【００３８】
本実施形態に係るユーザ端末は、図２に示すように、入力部１１０と、公開設定部１２０と、受信条件設定部１３０と、類似度算出部１４０と、通信部１５０と、情報交換部１６０と、格納部１７０とから構成されている。
【００３９】
入力部１１０は、起動された所定のアプリケーションに対して、今日のコーディネイト情報を含むコーディネイト情報と個人情報とを入力する。なお、コーディネイトに関する情報については、購入サイトに接続して、ネットショッピング等の購入履歴の情報を活用して入力の補助をしてもよい。また、個人情報については、性別、年代、好みのブランド、好みのファッションスタイル、好みの色等を入力する。
【００４０】
公開設定部１２０は、入力した今日のコーディネイト情報を含むコーディネイト情報に対して、それぞれ公開の有無を設定する。つまり、コーディネイト情報ごとに、「公開する」、「公開しない」のいずれかを設定することができる。
【００４１】
受信条件設定部１３０は、複数の端末のうち、ユーザ端末２００からの受信条件を設定する。受信条件の設定は、「すべて受信する（フィルターなし）」、「すべて受信しない」、「一部受信する」を設定可能とする。「一部受信する」については、情報発信者の個人のプロフィール・趣味のうち、情報受信者とある一定数一致するなど条件を満たした場合に受信する。「一部受信する」の設定例としては、例えば、類似度が５０％以上の場合受信する（類似度は、（個人プロフィール・趣味のうち情報発信者と受信者の一致する項目数）／（すべての個人プロフィール・趣味の項目数）＊１００と定義する）としてもよいし、年代・性別ともに同一の場合受信する（年代、性別以外にもユーザが指定した項目が一致する場合など受信できるものとする）としてもよい。
【００４２】
通信部１５０は、ユーザ端末２００との間で近距離無線通信により通信を行う。近距離無線通信としては、Ｗｉ−Ｆｉアドホック通信方式あるいは、ＧＰＳを利用し同じ時間に同じ場所に存在すると判定される場合に３Ｇ通信を行う方式が望ましい。情報交換部１６０は、通信部１５０を用いて、ユーザ端末２００とコーディネイト情報を交換する。格納部１７０は、交換したコーディネイト情報を記憶装置に格納する。
【００４３】
＜コーディネイト情報通信システムの処理＞
図３を用いて、本実施形態に係るコーディネイト情報通信システムの処理について説明する。
【００４４】
まず、ユーザ端末１００が、所定のアプリケーションを起動して、今日のコーディネイト情報を含むコーディネイト情報と個人情報とを入力する（ステップＳ１０１）。次に、入力した今日のコーディネイト情報を含むコーディネイト情報に対して、それぞれ公開の有無を設定し（ステップＳ１０２）、ユーザ端末２００からの受信条件を設定する（ステップＳ１０３）。
【００４５】
そして、ユーザ端末２００との間で近距離無線通信により通信を行い（ステップＳ１０４）、通信部１５０を用いて、ユーザ端末２００とコーディネイト情報を交換し（ステップＳ１０５）、交換したコーディネイト情報を格納する（ステップＳ１０６）。
【００４６】
＜情報交換の処理＞
図４を用いて、本実施形態に係る情報交換の処理について説明する。
【００４７】
まず、ユーザ端末１００（情報発信者）が登録されている個人のプロフィール・趣味等の個人情報をユーザ端末２００（情報受信者）に送信する（ステップＳ２０１）。情報受信者は、ユーザ端末２００に登録されている受信条件を取得する（ステップＳ２０２）。
【００４８】
情報受信者のフィルター条件が「すべて受信する」でユーザの設定した条件（類似度等）を満たしている場合（ステップＳ２０３）、情報発信者へコーディネイト情報のリクエストを送信する（ステップＳ２０６）。また、情報受信者のフィルター条件が「一部受信する」である場合（ステップＳ２０３）、情報発信者と情報受信者の個人情報の類似度を算出し（ステップＳ２０４）、受信条件を満たす場合には、情報発信者へコーディネイト情報のリクエストを送信する（ステップＳ２０６）。
【００４９】
一方で、情報受信者の受信条件が「受信しない」、「一部受信する」でユーザの設定した条件を満たしていない場合、情報発信者へコーディネイト情報不要のメッセージを送信する（ステップＳ２０８）。
【００５０】
情報発信者は、コーディネイト情報のリクエストを受信した場合は、「公開する」と設定されているコーディネイトの情報を情報受信者へ発信する（ステップＳ２０７）。なお、「公開する」と設定されているコーディネイトがない場合は情報を空白で送信する。さらに、情報発信者は、コーディネイト情報不要のメッセージを受信した場合（ステップＳ２０８）は、ステップＳ２１０へ進む。
【００５１】
コーディネイト情報を受信した情報受信者は、コーディネイト情報を端末に保存する（ステップＳ２０９）。次に、ユーザ端末１００とユーザ端末２００とで、情報発信者と情報受信者の役割を交代するため、情報受信者であったユーザ端末２００は、ユーザ端末１００へ個人のプロフィール・趣味等の個人情報を送信する。これでユーザ端末１００とユーザ端末２００とで役割交代することになる。以降同様の手順で、情報の送受信を行う。なお、ユーザ端末１００、ユーザ端末２００のうちどちらが最初に情報発信者になるかは問わない。先に個人のプロフィール・趣味等の個人情報を送信した方が情報発信者になる。
【００５２】
図５を用いて、受信条件を満たす場合の情報交換処理について詳細に説明する。
【００５３】
まず、情報発信者の端末１００（第１の端末）が、情報受信者の端末２００（第２の端末）に個人のプロフィール・趣味等の個人情報を送信する（ステップＳ３０１）。情報受信者の端末２００（第２の端末）は、端末内に登録されている受信条件を取得し（ステップＳ３０２）、「一部受信する」の場合、受信した個人情報から受信条件を満たすか否かを判定する（ステップＳ３０３）。
【００５４】
情報受信者の端末２００（第２の端末）は、受信条件を満たすと判定した場合、コーディネイト情報のリクエストを情報発信者の端末１００（第１の端末）に送信する（ステップＳ３０４）。情報発信者の端末１００（第１の端末）は、端末内に「公開する」と登録されているコーディネイト情報を取得し（ステップＳ３０５）、コーディネイト情報を情報受信者の端末２００（第２の端末）に送信する（ステップＳ３０６）。
【００５５】
ここで、情報発信者の端末１００（第１の端末）と情報受信者の端末２００（第２の端末）の役割が入れ替わる。つまり、情報発信者の端末が、端末２００（第２の端末）となり、情報受信者の端末が、端末１００（第１の端末）となる。
【００５６】
情報発信者の端末２００（第２の端末）が、情報受信者の端末１００（第１の端末）に個人のプロフィール・趣味等の個人情報を送信する（ステップＳ３０７）。情報受信者の端末１００（第１の端末）は、端末内に登録されている受信条件を取得し（ステップＳ３０８）、「一部受信する」の場合、受信した個人情報から受信条件を満たすか否かを判定する（ステップＳ３０９）。
【００５７】
情報受信者の端末１００（第１の端末）は、受信条件を満たすと判定した場合、コーディネイト情報のリクエストを情報発信者の端末２００（第２の端末）に送信する（ステップＳ３１０）。情報発信者の端末２００（第２の端末）は、端末内に「公開する」と登録されているコーディネイト情報を取得し（ステップＳ３１１）、コーディネイト情報を情報受信者の端末１００（第１の端末）に送信する（ステップＳ３１２）。
【００５８】
図６を用いて、受信条件を満たさない場合の情報交換処理について詳細に説明する。
【００５９】
まず、情報発信者の端末１００（第１の端末）が、情報受信者の端末２００（第２の端末）に個人のプロフィール・趣味等の個人情報を送信する（ステップＳ４０１）。情報受信者の端末２００（第２の端末）は、端末内に登録されている受信条件を取得し（ステップＳ４０２）、「一部受信する」の場合、受信した個人情報から受信条件を満たすか否かを判定する（ステップＳ４０３）。
【００６０】
情報受信者の端末２００（第２の端末）は、受信条件を満たさないと判定した場合、コーディネイト情報不要メッセージを情報発信者の端末１００（第１の端末）に送信する（ステップＳ４０４）。
【００６１】
ここで、情報発信者の端末１００（第１の端末）と情報受信者の端末２００（第２の端末）の役割が入れ替わる。つまり、情報発信者の端末が、端末２００（第２の端末）となり、情報受信者の端末が、端末１００（第１の端末）となる。
【００６２】
情報発信者の端末２００（第２の端末）が、情報受信者の端末１００（第１の端末）に個人のプロフィール・趣味等の個人情報を送信する（ステップＳ４０５）。情報受信者の端末１００（第１の端末）は、端末内に登録されている受信条件を取得し（ステップＳ４０６）、「一部受信する」の場合、受信した個人情報から受信条件を満たすか否かを判定する（ステップＳ４０６）。
【００６３】
情報受信者の端末１００（第１の端末）は、受信条件を満たさないと判定した場合、コーディネイト情報不要メッセージを情報発信者の端末２００（第２の端末）に送信する（ステップＳ４０８）。
【００６４】
以上、説明したように、本実施形態によれば、近距離ですれ違うユーザの端末間で通信を行い、コーディネイト情報を容易に交換することができる。また、受信条件を設定できるため、不要な情報の取得を防止することができる。
【００６５】
なお、コーディネイト情報通信システムの処理をコンピュータ読み取り可能な記録媒体に記録し、この記録媒体に記録されたプログラムをコーディネイト情報通信システムに読み込ませ、実行することによって本発明のコーディネイト情報通信システムを実現することができる。ここでいうコンピュータシステムとは、ＯＳや周辺装置等のハードウェアを含む。
【００６６】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【００６７】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００６８】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００６９】
１００；端末
１１０；入力部
１２０；公開設定部
１３０；受信条件設定部
１４０；類似度算出部
１５０；通信部
１６０；情報交換部
１７０；格納部
２００；端末
３００；端末
【図１】
2013191006.tif 000003
【図２】
2013191006.tif 000004
【図３】
2013191006.tif 000005
【図４】
2013191006.tif 000006
【図５】
2013191006.tif 000007
【図６】
2013191006.tif 000008